(57)【要約】      （修正有）【課題】運動設備やリハビリ設備に組み合わせて使用でき、使用者の操作中の姿勢を修正させ、身体を安定させて下肢が受ける力を軽減させるスポーツ器具補助装置を提供する。【解決手段】固定フレーム１１と、支持バーセット１２と、バッファキット１３と、高度調整装置１４と、保護具１５とを備える。固定フレーム１１はスポーツ器具に連結される。バッファキット１３は固定フレーム１１に連結される。支持バ−セット１２はバッファキット１３に枢接され、支持バ−セット１２は高度調整装置１４により保護具１５に連結され、使用者の身体の保護に用いられる。【選択図】図１
0003199542.tif 000002
【実用新案登録請求の範囲】
【請求項１】
スポーツ器具に連結される固定フレームと、
前記固定フレームに連結され、且つ１つ或いは複数のバッファ部材を含むバッファキットと、
前記バッファキットに枢接され、前記バッファキットは前記固定フレームとそれとの間に位置される支持バ−セットと、
前記支持バ−セットに連結される高度調整装置と、
前記高度調整装置に連結される保護具とを備えることを特徴とする、
スポーツ器具補助装置。
【請求項２】
前記保護具は背もたれ及び前記背もたれの二側にそれぞれ位置される２つの固定ベルトを備え、また、前記支持バ−セットの前段は前記バッファキットに枢接され、且つ前記支持バ−セットはケーシングパイプ及びポールを含み、前記ポールは前記ケーシングパイプ内に位置されると共に前記ケーシングパイプに沿って滑動することを特徴とする、請求項１に記載のスポーツ器具補助装置。
【請求項３】
前記支持バ−セットはハンドル及び挟持具をさらに備え、前記挟持具は前記ケーシングパイプに穿設されて前記ポールに接触し、前記ハンドルにより前記挟持具の締まり具合の制御を行い、前記高度調整装置は前記支持バ−セットの後段に連結され、且つ前記高度調整装置は調整シートと、移動台座と、回転ハンドルとをさらに含み、前記調整シートは前記支持バ−セットの前記ポールに連結され、前記移動台座が前記調整シートに内設されると共に前記調整シートに沿って上下に移動し、前記移動台座の一端は前記保護具に連結され、前記回転ハンドルは調整シートに穿設されて前記移動台座に接触し、前記移動台座の締結或いは緩めるのに使用され、前記バッファキットはケースを含み、前記１つ或いは複数のバッファ部材は前記ケース内に位置され、前記ケースの前段は前記支持バ−セットに枢接され、前記１つ或いは複数のバッファ部材はバネないしはバッファマットであることを特徴とする、請求項２に記載のスポーツ器具補助装置。
【考案の詳細な説明】
【技術分野】
【０００１】
本考案は、スポーツ器具補助装置に関する。
【背景技術】
【０００２】
負傷者、年長者、或いは身体障碍者が治療や運動を行うには、運動設備やリハビリ設備が使用される。
【考案の概要】
【考案が解決しようとする課題】
【０００３】
しかしながら、前述した従来のリハビリ設備では、即ち、これら運動設備やリハビリ設備を使用する場合、筋力が不足するため、姿勢が曲がり、自力で支えれずに転倒してしまうこともある。そこで、本考案者は上記の欠点が改善可能と考え、鋭意検討を重ねた結果、運動設備やリハビリ設備に組み合わせて使用でき、使用者の操作中の姿勢を修正させ、身体を安定させて下肢が受ける力を軽減させる新型の補助装置を開発した。
【０００４】
本考案は、このような従来の問題に鑑みてなされたものである。上記課題解決のため、本考案は、スポーツ器具補助装置を提供することを主目的とする。
【課題を解決するための手段】
【０００５】
上述した課題を解決し、目的を達成するための本考案に係るスポーツ器具補助装置は、スポーツ器具に連結される固定フレームと、前記固定フレームに連結され、且つ１つ或いは複数のバッファ部材を含むバッファキットと、前記バッファキットに枢接され、前記バッファキットは前記固定フレームとそれとの間に位置される支持バ−セットと、前記支持バ−セットに連結される高度調整装置と、前記高度調整装置に連結される保保護具とを備えることを特徴とする。
【０００６】
好ましい実施形態では、前記保護具は背もたれ及び前記背もたれの二側にそれぞれ位置される２つの固定ベルトを備える。
【０００７】
好ましい実施形態では、前記支持バーセットの前段は前記バッファキットに枢接され、且つ前記支持バーセットはケーシングパイプ及びポールを備え、前記ポールは前記ケーシングパイプ内に位置されると共に前記ケーシングパイプに沿って滑動する。
【０００８】
好ましい実施形態では、前記支持バーセットはハンドル及び挟持具をさらに備え、前記挟持具は前記ケーシングパイプに穿設されて前記ポールに接触し、前記ハンドルは前記挟持具の締まり具合の制御に使用される。
【０００９】
好ましい実施形態では、前記高度調整装置は前記支持バーセットの後段に連結され、且つ調整シートと、移動台座と、回転ハンドルとを備える。
【００１０】
好ましい実施形態では、前記調整シートは前記支持バーセットの前記ポールに連結され、前記移動台座は前記調整シートに内設されると共に前記調整シートに沿って上下に移動し、前記移動台座の一端は前記保護具に連結され、前記回転ハンドルは調整シートに穿設されて前記移動台座に接触し、前記移動台座の締結或いは緩めるのに使用される。
【００１１】
好ましい実施形態では、前記バッファキットはケースをさらに備え、前記１つ或いは複数のバッファ部材は前記ケース内に位置され、前記ケースの前段は前記支持バーセットに枢接される。
【００１２】
好ましい実施形態では、前記１つ或いは複数のバッファ部材はバネないしはバッファマットである。
【００１３】
好ましい実施形態では、前記１つ或いは複数のバッファ部材はバネであり、且つ前記バネはスクリューにより前記バネの弾力の調整に使用される弾力調整ボタンに連結される。
【００１４】
好ましい実施形態では、前記１つ或いは複数のバッファ部材は２つのバッファマットであり、且つ前記保護具に近接する前記バッファマットの硬度がもう一方のバッファマットより高い。
【図面の簡単な説明】
【００１５】
【図１】本考案の一実施形態に係るスポーツ器具補助装置を示す外観斜視図である。
【図２】本考案の一実施形態に係るスポーツ器具補助装置を示す側視図である。
【図３】本考案の一実施形態に係るスポーツ器具補助装置を示す側視図である。
【図４】本考案の他の実施形態に係るスポーツ器具補助装置を示す側視図である。
【図５】本考案のスポーツ器具補助装置がスポーツ器具に装設される斜視図である。
【図６】図５に示すスポーツ器具（懸架シ−ト含）の外観斜視図である。
【図７】図６に示す懸架シ−トの構成図である。
【図８】本考案のスポーツ器具補助装置が他のスポーツ器具に装設される斜視図である。
【考案を実施するための形態】
【００１６】
本考案における好適な実施の形態について、添付図面を参照して説明する。尚、以下に説明する実施の形態は、請求の範囲に記載された本考案の内容を限定するものではない。また、以下に説明される構成の全てが、本考案の必須要件であるとは限らない。さらに、この明細書では、各部材の異なる部分は実物のサイズに基き作成されているわけではなく、一つの尺度と関連する他の尺度との比較や、或いは誇張や簡略化が加えられており、より明確に描画することで本考案に対する理解を促すものである。本考案に応用される従来の技術は、重点を引用するのみで、本考案の説明を補助する。
【００１７】
以下、本考案の具体的な実施形態について添付図面に基づき説明する。図１は傾斜図であり、図２は側視図であり、図３は他の傾斜図である。
図１から図３に示すように、本考案の好ましい実施形態に係る補助装置１０の主要な部材は、固定フレーム１１と、支持バーセット１２と、バッファキット１３と、高度調整装置１４と、保護具１５とを備える。
【００１８】
固定フレーム１１は運動設備に連結され（後述する）、使用者に把持させるための２つの把持部１１０を有する。バッファキット１３は固定フレーム１１に連結される。支持バーセット１２はバッファキット１３に枢接されると共に高度調整装置１４に連結される。
例えば、支持バーセット１２の前段（前端或いは前端に隣接する領域）はバッファキット１３の領域（例えば、前段）に枢接され、支持バーセット１２の後段（後端或いは後端に隣接する領域）は高度調整装置１４により保護具１５に連結され、使用者の腹部や胸部等の身体を被覆させる。
【００１９】
保護具１５は背もたれ１５０及び２つの固定ベルト１５２を有する。背もたれ１５０の外形は人間工学に符合する。例えば、背もたれ１５０の外形は、人体の腹部に貼り合わされる。２つの固定ベルト１５２は背もたれ１５０の一側にそれぞれ位置され、必要に応じて使用者を縛り付けることで、使用上の安全性を向上させる（図１乃至図３参照）。
【００２０】
続いて、支持バーセット１２はケーシングパイプ１２０及びポール１２２を有する。ポール１２２はケーシングパイプ１２０内に装設されると共にケーシングパイプ１２０に沿って滑動する。また、支持バーセット１２はハンドル１２４及び挟持具１２６をさらに有する。挟持具１２６はケーシングパイプ１２０に穿設されてポール１２２に接触し、ハンドル１２４が第一位置に位置されると、例えば図中の位置に位置されると、挟持具１２６がポール１２２に挟持される。
ハンドル１２４が上に向けて第二位置（図示せず）まで開かれると、挟持具１２６が緩められ、ポール１２２がケーシングパイプ１２０内に沿って移動する。これにより、ポール１２２の位置が、保護具１５と使用者との距離に従って調整される。
【００２１】
また、支持バーセット１２のポール１２２は高度調整装置１４に連結され、高度調整装置１４は保護具１５に連結される。例えば、高度調整装置１４は調整シート１４０と、移動台座１４２と、回転ハンドル１４４とを有する。調整シート１４０は支持バーセット１２のポール１２２に連結される。移動台座１４２は調整シート１４０に内設されると共に調整シート１４０に沿って上下に移動する。移動台座１４２の一端は保護具１５に連結される。
回転ハンドル１４４は調整シート１４０に穿設されて移動台座１４２に接触する。回転ハンドル１４４が第一角度に位置されると（図４参照）、移動台座１４２の位置が固定される。回転ハンドル１４４が第二位置まで回転すると（図４参照）、移動台座１４２が緩められ、且つ調整シート１４０内で上下に滑動する。これにより、保護具１５の高さの調整を行う。
【００２２】
バッファキット１３は固定フレーム１１と支持バーセット１２との間に位置されると共に固定フレーム１１に連結される。バッファキット１３はケース１３０及び１つ或いは複数のバッファ部材１３２を有する。ケース１３０の前段（前端或いは前端に近接する領域）は支持バーセット１２に枢接される。例えば、ケース１３０には支持バーセット１２のケーシングパイプ１２０の前端に近接する部位が軸１３８に枢接され、支持バーセット１２が軸１３８を軸心として擺動する。
バッファ部材１３２は弾性を有し、ケース１３０内に位置され、一端がケース１３０に固定され、他端がケーシングパイプ１２０に当接される。バッファ部材１３２はバネ１３２或いはバッファマット１３２である。本実施形態では、バッファ部材１３２は２つのバネ１３２である。好ましくは、保護具１５に近接するバネ１３２の弾性係数が他のバネ１３２より大きい。保護具１５に近接するバネ１３２は、スクリュー１３６により弾力調整ボタン１３４に連結される。弾力調整ボタン１３４が回転することでバネ１３２の弾力の調整を行う。本実施形態では、バッファ部材１３２の数量は１つであり、ケース１３０の保護具１５に近接する一端に設置される。他の実施形態では、保護具１５から離れるバネ１３２にも弾力調整ボタン１３４が設置される。他の実施形態では、バッファ部材１３２は２つで弾性を有し、例えば、弾性材料を含むバッファマット１３２によりバネ１３２を代替させる。好ましくは、保護具１５に近接するバッファマット１３２の硬度が他のバッファマット１３２より高い。他の実施形態では、２つのバッファ部材１３２の内の何れか１つはバネ１３２であり、他はバッファマット１３２である。
【００２３】
図２に示すように、使用者が直立或いは座姿した姿勢で訓練を行う場合、高度調整装置１４及び／或いはハンドル１２４を利用して保護具１５を適切な位置まで調整させ、使用者の身体、例えば、腹部や胸部等を被覆させ、固定ベルト１５２により身体を縛り、使用上の安全性を高める。これにより、運動或いはリハビリ訓練を行う際に、補助装置１０により使用者の操作中の姿勢を修正させ、身体を安定させて下肢が受ける力を軽減させる。また、保護具１５が支持バーセット１２に連れて上下に擺動し、バッファキット１３により緩衝作用を与えることで、使用者にとって快適さが増す。
使用者が縦方向の作用力Ｆ１をかけると、支持バーセット１２が軸１３８を中心として時計回りに擺動し、バッファ部材１３２が縦方向の緩衝力Ｆ２を提供する。
【００２４】
図４は本考案に係る補助装置１０を図示する。横向きのバッファ部材１２８をさらに備える。例えば、バネがポール１２２とケーシングパイプ１２０との間に設置される。使用者が横向きの作用力Ｆ４をかけると、横向きのバッファ部材１２８がポール１２２に横向きの緩衝力Ｆ５を提供する。
【００２５】
図５は本考案に係る補助装置１０が運動設備１に装設される斜視図である。本実施形態では、運動設備１はリハビリ訓練設備である。運動設備１は使用者がその上で歩行するためのコンベヤー３０を有する（図５参照）。運動設備の前端は直立ポール２０を有し、補助装置１０の固定フレーム１１は直立ポール２０に固定され、補助装置１０が運動設備１に装設される。このほか、コンベヤーの二側には、支持棒２６を各々有し、保護及び支持を提供する。
【００２６】
図６は図５の運動設備１が、懸架シート６０をさらに有する例を図示する。即ち、使用者が懸架シート６０に座ると、補助装置１０により使用者の腹部を被覆させる。リハビリ訓練を行う場合、補助装置１０により使用者の操作中の姿勢を修正させて身体を安定させ、下肢が受ける力を軽減させる。
【００２７】
図７は図６の運動設備の懸架シート６０の仔細を図示する。懸架シート６０は主に、本体６２と、シート６４と、第一固定ベルト６３ｂとを備え、使用者がシート６４に座る。シート６４は本体６２の一端に連結され、第一固定ベルト６３ｂは本体６２及び支持棒２６に連結される（図５参照）。本体６２は板６２６と、板６２６の前端に連結される前ベース６２２と、板６２６の後端に連結される後ベース６２４とを含む。シート６４は後ベース６２４に設置される。また、前ベース６２２に設置されるマット６６を備える。好ましくは、マット６６のサイズがシート６４のサイズより小さい。
このほか、懸架シート６０は本体６２及び支持棒２６に連結される第二固定ベルト６３ａをさらに含む（図５参照）。第一固定ベルト６３ｂ及び第二固定ベルト６３ａの二端はバックル６３２を有し、取り外しが簡単になる。懸架シート６０は保護ベルト６８をさらに備え、その二端は前ベース６２２及び後ベース６２４にそれぞれ連結される。運動設備１及び懸架シート６０の細部の構造に関しては、アメリカ特許出願第１４／０３９，０５号の発明名称”ＴＲＡＩＮＩＮＧ  ＤＥＶＩＣＥ  ＷＩＴＨ  ＨＡＮＧＩＮＧ  ＳＥＡＴ”を参照されたい。その内容を本文に本考案の内容の一部として引用する。
【００２８】
図８は本考案に係る補助装置１０が他の運動設備２に装設される例を図示する。本実施形態では、運動設備２はエリプティカルトレーナーであり、但し補助装置１０は固定フレーム１１を有せず、バッファキット１３により運動設備２に連結される。例えば、運動設備２の支持ポール２２に連結される。
【００２９】
本文の前述の文件の内容を本文に引用し、本考案の明細書の一部分とする。本考案の実施形態は例示に過ぎず、本考案の範囲を制限するものではない。本考案の特徴或いは方法工程及び技術を含む他の特徴や、出願案の特徴或いは構造に対する部分的或いは全面的なあらゆる結合や変更も、本考案とは不等な別の代替できない実施形態である。
本考案の特徴及び方法に対応するか関連するものや、文中から導き出されるものと矛盾しないもの、及び本技術分野に習熟する者による部分的或いは全面的な修飾、例えば、（１）操作及び／或いは構造的なもの、（２）本技術分野に習熟する者による操作及び／或いは構造の修飾、（３）本考案の明細書の如何なる部分に対する実施／製造／使用或いは結合、例えば、（Ｉ）本考案に関連する如何なる構造及び方法の一部或いは複数の部分、及び／或いは（ＩＩ）如何なる１つ或いは複数の特徴或いは実施形態の内容に対する如何なる変更及び／或いは組み合わせを含む、本考案の１つ或いは複数の考案の概念及び部分的な内容に対する如何なる変更及び／或いは組み合わせも本考案の範囲に含まれる。
【符号の説明】
【００３０】
１      スポーツ器具
２      スポーツ器具
１０    補助装置
１１    固定フレーム
１２    支持バ−セット
１３    バッファキット
１４    高度調整装置
１５    保護具
２０    直立ポール
２２    支持ポール
２６    支持棒
３０    コンベヤー
６０    懸架シート
６２    本体
６３ｂ  第一固定ベルト
６３ａ  第二固定ベルト
６４    シート
６６    マット
６８    保護ベルト
１１０  把持部
１２０  ケーシングパイプ
１２２  ポール
１２４  ハンドル
１２６  挟持具
１２８  横方向バッファ部材
１３０  ケース
１３２  バッファ部材／バネ／バッファマット
１３４  弾力調整ボタン
１３６  スクリュー
１３８  軸
１４０  調整シート
１４２  移動台座
１４４  回転ハンドル
１５０  背もたれ
１５２  固定ベルト
６２２  前ベース
６２４  後ベース
６２６  板
６３２  バックル
Ｆ１    力
Ｆ２    力
Ｆ３    力
Ｆ４    力
【図１】
0003199542.tif 000003
【図２】
0003199542.tif 000004
【図３】
0003199542.tif 000005
【図４】
0003199542.tif 000006
【図５】
0003199542.tif 000007
【図６】
0003199542.tif 000008
【図７】
0003199542.tif 000009
【図８】
0003199542.tif 000010